(57)【要約】【課題】被処理水を逆浸透膜に透過させた透過水を更に活性化させるようにした水処理装置を提供する。【解決手段】逆浸透膜（１７）を用いた浄水手段（３）の下流側に活性化手段（５）を配設し、該活性化手段（５）は、ケース（３５）内に上流側より第一活性化室（３７）と第二活性化室（３９）と第三活性化室（４１）とを備え、第一活性化室内にはトルマリン原石（４３）を収納し、第二活性化室内にはトルマリンセラミックス体（４５）を収納し、第三活性化室内には前記トルマリンセラミックス体よりも小型のトルマリンセラミックス体（４７）を収納したことを特徴とする水処理装置。【選択図】図１
2006150205.tif 000002
【特許請求の範囲】
【請求項１】
逆浸透膜（１７）を用いた浄水手段（３）の下流側に活性化手段（５）を配設し、
該活性化手段（５）は、ケース（３５）内に上流側より第一活性化室（３７）と第二活性化室（３９）と第三活性化室（４１）とを備え、
第一活性化室内にはトルマリン原石（４３）を収納し、
第二活性化室内にはトルマリンセラミックス体（４５）を収納し、
第三活性化室内には前記トルマリンセラミックス体よりも小型のトルマリンセラミックス体（４７）を収納したことを特徴とする水処理装置。
【請求項２】
前記第一活性化室（３７）の上流端（３７ａ）と下流端（３７ｂ）とにそれぞれ第一上流多孔板（４９）と第一下流多孔板（５１）とを配設し、
前記第二活性化室（３９）の上流端（３９ａ）と下流端（３９ｂ）とにそれぞれ第二上流多孔板（５３）と第二下流多孔板（５５）とを配設し、
前記第三活性化室（４１）の上流端（４１ａ）と下流端（４１ｂ）とにそれぞれ第三上流多孔板（５７）と第三下流多孔板（５９）とを配設し、
前記ケース（３５）の上流端（３５ａ）と第一上流多孔板（４９）との間に第一空間部（６１）を設け、
第一下流多孔板（５１）と第二上流多孔板（５３）との間に第二空間部（６３）を設け、
第二下流多孔板（５５）と第三上流多孔板（５７）との間に第三空間部（６５）を設け、
第三下流多孔板（５９）と前記ケース（３５）の下流端（３５ｂ）との間に第四空間部（６７）を設けたことを特徴とする請求項１に記載の水処理装置。
【発明の詳細な説明】
【技術分野】
【０００１】
本発明は、水処理装置に関するものであり、更に詳しくは、水道水、井戸水等の水を浄水処理すると共にこの水を更に活性化するようにした水処理装置に係るものである。
【０００２】
本出願においては、水処理装置により処理される水道水、井戸水等の水を「被処理水」という。
【背景技術】
【０００３】
逆浸透膜を用いた浄水器は、実用新案登録第３０３７０２９号公報等により既に開示されている。
【０００４】
上記従来の浄水器においては、被処理水に適当な圧力をかけて逆浸透膜（半透膜）を透過させることにより、該被処理水に含まれている農薬等の有害物その他の不純物を分離して純水又は純水に近い透過水を得るようにしたものである。
【０００５】
上記従来の浄水器により得られた純水又は純水に近い透過水は、医療、電子産業等の分野で好ましく使用されている。
【特許文献１】実用新案登録第３０３７０２９号公報
【発明の開示】
【発明が解決しようとする課題】
【０００６】
しかしながら、逆浸透膜を透過させた透過水は、透過前の水に含まれていた有効成分も分離除去されている純水又は純水に近い水であるため、飲料水としては必ずしも好ましいものではない。
【０００７】
このような状況に鑑み、本発明は、被処理水を逆浸透膜に透過させた透過水を更に活性化させるようにした水処理装置を提供しようとしてなされたものである。
【課題を解決するための手段】
【０００８】
上記課題を解決するために、本発明は、下記の水処理装置を提供する。
【０００９】
（１）逆浸透膜を用いた浄水手段の下流側に活性化手段を配設し、
該活性化手段は、ケース内に上流側より第一活性化室と第二活性化室と第三活性化室とを備え、
第一活性化室内にはトルマリン原石を収納し、
第二活性化室内にはトルマリンセラミックス体を収納し、
第三活性化室内には前記トルマリンセラミックス体よりも小型のトルマリンセラミックス体を収納したことを特徴とする水処理装置（請求項１）。
【００１０】
（２）前記第一活性化室の上流端と下流端とにそれぞれ第一上流多孔板と第一下流多孔板とを配設し、
前記第二活性化室の上流端と下流端とにそれぞれ第二上流多孔板と第二下流多孔板とを配設し、
前記第三活性化室の上流端と下流端とにそれぞれ第三上流多孔板と第三下流多孔板とを配設し、
前記ケースの上流端と第一上流多孔板との間に第一空間部を設け、
第一下流多孔板と第二上流多孔板との間に第二空間部を設け、
第二下流多孔板と第三上流多孔板との間に第三空間部を設け、
第三下流多孔板と前記ケースの下流端との間に第四空間部を設ける（請求項２）。
【００１１】
［発明の作用］
［請求項１の発明］
浄水手段において、被処理水に適当な圧力をかけて逆浸透膜を透過させることにより、該被処理水に含まれている農薬等の有害物その他の不純物が分離され、純水又は純水に近い透過水が得られる。
【００１２】
即ち、被処理水に含まれているトリハロメタン、バクテリア、アンモニウム、ヒ素、カドミウム、亜硝酸性窒素、銅、シアン、鉛、水銀等の不純物がほぼ完全に除去される。
【００１３】
浄水手段において不純物が除去された被処理水は、続いて活性化手段により活性化される。
【００１４】
活性化手段は、上流側より、トルマリン原石を収納した第一活性化室と、トルマリンセラミックス体を収納した第二活性化室と、該トルマリンセラミックス体よりも小型のトルマリンセラミックス体を収納した第三活性化室とを備えており、浄水手段において不純物が除去された被処理水は、これらの第一活性化室と第二活性化室と第三活性化室とを順次通過する。
【００１５】
トルマリンは、微弱電流を放出し、被処理水を電気分解して弱アルカリ化する。また、トルマリンは、高電圧により水のクラスターを分解し、被処理水を活性化する。
【００１６】
トルマリンは、ミネラル分を含有しており、該ミネラル分を被処理水中に溶出させることににより、被処理水がミネラル化される。
【００１７】
更に、トルマリンは、マイナスイオンを発生させて、被処理水をマイナスイオン水にする。
【００１８】
被処理水の弱アルカリ化、活性化、ミネラル化、マインイオン水化は、被処理水を第一活性化室と第二活性化室と第三活性化室とに順次通過させることにより、確実に実現される。
【００１９】
［請求項２の発明］
活性化手段に入った被処理水は、第一空間部を落下し、第一上流多孔板に衝突して拡散し、該第一上流多孔板の各孔を通って第一活性化室に入る。
【００２０】
第一活性化室を通過した被処理水は、第一下流多孔板を通過してシャワー状となってマイナスイオンを発生し、第二上流多孔板に衝突し、該第二上流多孔板の各孔を通って第二活性化室に入る。
【００２１】
第二活性化室を通過した被処理水は、第二下流多孔板を通過してシャワー状となって更にマイナスイオンを発生し、第三上流多孔板に衝突し、該第三上流多孔板の各孔を通って第三活性化室に入る。
【００２２】
第三活性化室を通過した被処理水は、第三下流多孔板を通過してシャワー状となって更にマイナスイオンを発生し、活性化手段を出て、飲用等に使用される。
【００２３】
以上の如く、被処理水のマイナスイオン化が更に促進される。
【発明の効果】
【００２４】
［請求項１の発明］
被処理水は、浄水手段において、農薬等の有害物その他の不純物が分離され、純水又は純水に近い状態になった後、更に、活性化手段において、第一活性化室と第二活性化室と第三活性化室とを順次通過することにより、弱アルカリ化、活性化、ミネラル化、マインイオン水化が確実に実現される。従って、得られた水は、飲用等に極めて適したおいしい水となる。
【００２５】
［請求項２の発明］
被処理水は、活性化手段において更にマイナスイオン化が促進され、飲用等に一層適したおいしい水となる。
【発明を実施するための最良の形態】
【００２６】
符号１に示すものは、本発明による水処理装置の収納体である。
【００２７】
収納体１内には、浄水手段３を配設すると共に該浄水手段３の下流側に活性化手段５を配設する。符号７に示すものは配管である。
【００２８】
図１に示す事例においては、浄水手段３の上流側の配管７と活性化手段５の下流側の配管７とをバイパス管９により接続し、浄水手段３ないし活性化手段５のメンテナンス等を行なう際に、水を浄水手段３、活性化手段５に通すことなく、該バイパス管９を介して流すことができるようにしている。符号１１、１３、１５は開閉弁である。
【００２９】
浄水手段３と活性化手段５とは、配管７に対し、好ましくは、それぞれ着脱自在である。
【００３０】
浄水手段３は逆浸透膜１７を備えている。逆浸透膜１７は、一例として、芳香族ポリアミド系とする。
【００３１】
図示の事例においては、浄水手段３の収納容器１９内における上流端１９ａには、上流側より浄水手段空間部２１と浄水手段フィルター２３と浄水手段多孔板２５とが配設されている。
【００３２】
浄水手段多孔板２５は、一例として図３に示すように、ステンレス鋼板２４に直径約１〜１．５ｍｍの孔２６を多数形成してなるものとする。
【００３３】
浄水手段３の収納容器１９内における浄水手段多孔板２５の下流側には、多層の逆浸透膜１７、１７・・・がスペーサ２７、２７・・・を介して、一例としてスパイラル状に、配設され、収納容器１９の中心部には中心管２９が配設されている。中心管２９は該中心管２９を内外に貫く透孔３１、３１・・・を備えている。符号３３に示すものは、浄水手段３の支持杆である。
【００３４】
被処理水は、浄水手段３の収納容器１９内に入り、浄水手段空間部２１と浄水手段フィルター２３と浄水手段多孔板２５とを通過して逆浸透膜１７を透過することにより、該被処理水に含まれている農薬等の有害物その他の不純物が分離され、純水又は純水に近い透過水として、透孔３１、３１・・・より中心管２９内に流入し、下流の活性化手段５内に送られる。
【００３５】
活性化手段５は、ケース３５内に上流側より第一活性化室３７と第二活性化室３９と第三活性化室４１とを備えている。
【００３６】
第一活性化室３７内には多数個のトルマリン原石４３、４３・・・を収納する。トルマリン原石４３は、一例として、約６ｍｍの直径ないし長さを有する。
【００３７】
第二活性化室３９内には多数個のトルマリンセラミックス体４５、４５・・・を収納する。トルマリンセラミックス体４５は、一例として、直径約５ｍｍの球状体とする。
【００３８】
第三活性化室４１内には前記トルマリンセラミックス体４５、４５・・・よりも小型の多数個のトルマリンセラミックス体４７、４７・・・を収納する。トルマリンセラミックス体４７は、一例として、直径約３ｍｍの球状体とする。
【００３９】
第一活性化室３７の上流端３７ａと下流端３７ｂとにそれぞれ第一上流多孔板４９と第一下流多孔板５１とを配設する。
【００４０】
第二活性化室３９の上流端３９ａと下流端３９ｂとにそれぞれ第二上流多孔板５３と第二下流多孔板５５とを配設する。
【００４１】
第三活性化室４１の上流端４１ａと下流端４１ｂとにそれぞれ第三上流多孔板５７と第三下流多孔板５９とを配設する。
【００４２】
第一上流多孔板４９、第一下流多孔板５１、第二上流多孔板５３、第二下流多孔板５５、第三上流多孔板５７、及び第三下流多孔板５９は、それぞれ前記浄水手段多孔板２５と同様に、一例として図３に示すように、ステンレス鋼板に直径約１〜１．５ｍｍの孔を多数形成してなるものとする。
【００４３】
活性化手段５におけるケース３５の上流端３５ａと第一上流多孔板４９との間に第一空間部６１を設ける。
【００４４】
第一下流多孔板５１と第二上流多孔板５３との間に第二空間部６３を設ける。
【００４５】
第二下流多孔板５５と第三上流多孔板５７との間に第三空間部６５を設ける。
【００４６】
第三下流多孔板５９とケース３５の下流端３５ｂとの間に第四空間部６７を設ける。
【図面の簡単な説明】
【００４７】
【図１】本発明による水処理装置の一例を示す断面図である。
【図２】浄水手段の一例を示す断面図である。
【図３】浄水手段多孔板の一例を示す平面図である。
【符号の説明】
【００４８】
１  収納体
３  浄水手段
５  活性化手段
７  配管
９  バイパス管
１１  開閉弁
１３  開閉弁
１５  開閉弁
１７  逆浸透膜
１９  収納容器
１９ａ  上流端
２１  浄水手段空間部
２３  浄水手段フィルター
２４  ステンレス鋼
２５  浄水手段多孔板
２６  孔
２７  スペーサ
２９  中心管
３１  透孔
３３  支持杆
３５  ケース
３５ａ  上流端
３５ｂ  下流端
３７  第一活性化室
３７ａ  上流端
３７ｂ  下流端
３９  第二活性化室
３９ａ  上流端
３９ｂ  下流端
４１  第三活性化室
４１ａ  上流端
４１ｂ  下流端
４３  トルマリン原石
４５  トルマリンセラミックス体
４７  トルマリンセラミックス体
４９  第一上流多孔板
５１  第一下流多孔板
５３  第二上流多孔板
５５  第二下流多孔板
５７  第三上流多孔板
５９  第三下流多孔板
６１  第一空間部
６３  第二空間部
６５  第三空間部
６７  第四空間部
【図１】
2006150205.tif 000003
【図２】
2006150205.tif 000004
【図３】
2006150205.tif 000005